(57)【特許請求の範囲】
【請求項１】
家屋等の屋根上に葺かれる屋根材であって、
前記屋根材は、繊維強化プラスチックによって波状に形成した複数の瓦部が、上下及び左右方向に複数連設して一体成形してなり、
前記屋根材の一端側の裏面に、前記屋根材の昇り段形状に形成した棟側の他端縁に対して被せるように嵌合することを可能とした構造とし、軒方向に向けて開放された断面コ字状の嵌合受部を形成すると共に、前記嵌合受部の内面には、開放端から内側に向けて徐々に嵌合受部の間隙を狭くするテーパー部を形成しており、前記テーパー部によって、前記嵌合受部に対して前記屋根材の他端縁を徐々に圧着して嵌合できるようにしたことを特徴とする屋根材。
【発明の詳細な説明】
【技術分野】
【０００１】
本発明は、家屋等の屋根上に葺かれる屋根材に関する。
【背景技術】
【０００２】
従来から、家屋等の屋根上に葺かれる屋根材には種々のものが知られているが、近年では、吊り子を不要にして隣接する屋根材同士を確実に一体化できる屋根材が開発されている（例えば、特許文献１参照。）。
【０００３】
具体的には、この屋根材は、一端側の裏面に係止部を形成すると共に、他端側の裏面に係止受部を形成してなり、屋根の下地材に固定した一方の屋根材の前記係止部に、他方の屋根材の前記係止受部を係止しながら重合させて隣接する屋根材同士を連結すれば、吊り子を用いることなく、隣接する屋根材同士を簡単且つ確実に一体化できるのである。
【特許文献１】特願２００５−１３１５０５号
【発明の開示】
【発明が解決しようとする課題】
【０００４】
しかしながら、従来の屋根材は、一方の屋根材の裏面に形成した係止部と、他方の屋根材の裏面に形成した係止受部を係止して、隣接する屋根材同士を連結するものであるが、この屋根材には、１つの屋根材に対して係止部及び係止受部を各々形成する必要があり、構造が複雑であるという問題があった。
【０００５】
又、前記係止受部に係止部を係止した後、風雨に晒される環境下の屋根材では、連結された屋根材同士の係止が左右方向（軒棟方向に直交する方向）に対してズレてしまう恐れがあり、この屋根材のズレによって、屋根材同士の連結が外れたり、又、雨水等が屋根材の連結部分から浸入する危険があった。
【０００６】
本発明は、かかる課題を解決することを目的とし、連結後の屋根材同士のズレを防止できる簡易な構造の屋根材を提供する。
【課題を解決するための手段】
【０００７】
前記目的を達成するため、本発明に係る屋根材は、家屋等の屋根上に葺かれる屋根材であって、繊維強化プラスチックによって波状に形成した複数の瓦部が、上下及び左右方向に複数連設して一体成形してなり、前記屋根材の一端側の裏面に、前記屋根材の昇り段形状に形成した棟側の他端縁に対して被せるように嵌合することを可能とした構造とし、軒方向に向けて開放された断面コ字状の嵌合受部を形成すると共に、前記嵌合受部の内面には、開放端から内側に向けて徐々に嵌合受部の間隙を狭くするテーパー部を形成しており、前記テーパー部によって、前記嵌合受部に対して前記屋根材の他端縁を徐々に圧着して嵌合できるようにしたことを特徴とする。
【発明の効果】
【０００８】
本発明の屋根材によれば、屋根材の一端側の裏面に、前記屋根材の他端縁を嵌合可能な嵌合受部を形成すると共に、前記嵌合受部の内面には、開放端から内側に向けて徐々に嵌合受部の間隙を狭くするテーパー部を形成しているため、屋根材の他端縁を嵌合可能な嵌合受部を屋根材の一端側の裏面に形成するだけで良く、屋根材の構造を簡易にできる。
【０００９】
又、屋根材の他端縁を前記嵌合受部に嵌合する際、この嵌合受部の内面に形成したテーパー部が、前記屋根材の他端縁を徐々に圧着して嵌合できるため、連結後の屋根材同士のズレを確実に防止して、雨水等の浸入も確実に防止できる。
【発明を実施するための最良の形態】
【００１０】
以下、本発明に係る屋根材Ａを図面とともに説明する。
【実施例１】
【００１１】
図１は、本発明に係る屋根材Ａの一実施例の施工状態を示す斜視図であり、図２は、図１の屋根材Ａの要部拡大断面図である。
【００１２】
本発明の屋根材Ａは、家屋等の屋根上に葺かれるもので、屋根材Ａの一端側の裏面に、該屋根材Ａの他端縁２を嵌合可能な嵌合受部１を形成すると共に、前記嵌合受部１の内面には、開放端から内側に向けて徐々に嵌合受部１の間隙を狭くするテーパー部１ａを形成したことを特徴とする。
【００１３】
ここで、屋根材Ａは、繊維強化プラスチック（ＦＲＰ）によって波状に形成した複数の瓦部Ａ１が、上下及び左右方向に複数連設して一体成形して１つのユニットを形成したものを例示しており、このような合成樹脂製の屋根材Ａによれば、昔ながらの燻瓦に比べて、軽量且つ施工に優れるため好ましい。
【００１４】
屋根材Ａの一端側の裏面には、屋根材Ａの他端縁２を嵌合可能な嵌合受部１を形成してなる。
【００１５】
この嵌合受部１は、屋根材Ａと一体成形してなり、屋根材Ａの他端縁２の形状に合わせて、軒方向に向けて開放した断面コ字状に形成している。
【００１６】
又、嵌合受部１の内面には、開放端から内側に向けて徐々に嵌合受部１の間隙を狭くするテーパー部１ａを形成しており、このテーパー部１ａによって、屋根材Ａの他端縁２が嵌合受部１に対してスムーズ且つ確実に嵌合するようにしている。
【００１７】
このように形成した屋根材Ａは、以下の要領で施工する。
【００１８】
先ず、屋根の軒先側の下地材Ｓ上に、本発明の屋根材Ａを配置し、上方から釘、ネジ等の取付具（不図示）を下地材Ｓに貫通して固定する。
【００１９】
次に、この固定した屋根材Ａの一側（左、右の何れかの方向）に、他の屋根材（不図示）を重合しながら前記他の屋根材（不図示）を前記同様にして、下地材Ｓ上に固定し、複数の屋根材Ａを左右方向に葺いて行く。
【００２０】
そして、この固定した屋根材Ａの棟側から、他の屋根材Ａ’の軒側を被せて重合すると共に、該他の屋根材Ａ’の軒側の一端縁に設けた嵌合受部１’を、屋根材Ａの棟側の他端縁２に嵌め込んで押し込み、他の屋根材Ａ’を屋根材Ａの棟側に連結して固定し、以下、前述同様に複数の屋根材Ａ’を棟方向に葺いて、屋根材Ａ、Ａ’を家屋等の屋根上に葺いて行くのである。
【００２１】
このように本発明の屋根材Ａによれば、一端側の裏面に、屋根材Ａの他端縁２を嵌合可能な嵌合受部１を形成すると共に、嵌合受部１の内面には、開放端から内側に向けて徐々に嵌合受部１の間隙を狭くするテーパー部１ａを形成しているため、屋根材Ａの他端縁２を嵌合可能な嵌合受部１’（１）を屋根材Ａ’（Ａ）の一端側の裏面に形成するだけで良く、屋根材Ａ’（Ａ）の構造を簡易にできる。
【００２２】
又、屋根材Ａの他端縁２を嵌合受部１’（１）に嵌合する際、この嵌合受部１’（１）の内面に形成したテーパー部１ａ’（１ａ）が、屋根材Ａの他端縁２を徐々に圧着して嵌合できるため、連結後の屋根材Ａ（Ａ’）同士のズレを確実に防止して、雨水等の浸入も確実に防止できる。
【図面の簡単な説明】
【００２３】
【図１】本発明に係る屋根材Ａの一実施例の施工状態を示す斜視図である。
【図２】図１の屋根材Ａの要部拡大断面図である。
【符号の説明】
【００２４】
Ａ、Ａ’      屋根材
１、１’      嵌合受部
１ａ、１ａ’  テーパー部
２            他端縁
【図１】
0005156449.tif 000002
【図２】
0005156449.tif 000003